(57)【要約】【課題】靴及び靴紐の洗浄を能率良く容易に行う。【解決手段】靴類を洗浄可能な主洗浄部Ａを備えた洗浄支持部Ｃに、紐様体１を摺動操作自在に掛止した状態で当該紐様体１を洗浄する紐洗浄部Ｄを設けてある。【選択図】図１
2014217426.tif 000002
【特許請求の範囲】
【請求項１】
靴類を洗浄可能な主洗浄部を備えた洗浄支持部に、紐様体を摺動操作自在に掛止した状態で当該紐様体を洗浄する紐洗浄部を設けてある洗浄具。
【請求項２】
前記主洗浄部は、固定部に押え付け操作可能な扁平状に構成されている請求項１記載の洗浄具。
【請求項３】
前記紐洗浄部が、前記洗浄支持部との間に紐挿通空間を形成した状態で当該洗浄支持部に設けられた紐当て部から構成され、この紐当て部の前記紐挿通空間側の洗浄面には、紐様体をしごき洗浄するための洗浄突起が形成されている請求項１又は２記載の洗浄具
【請求項４】
前記紐当て部が、前記洗浄支持部に貫通形成された吊下げ用の係止孔の開口周縁の一部から当該係止孔の中心側に向かって突出形成され、この紐当て部の洗浄面には、当該洗浄面に掛止されている紐様体が前記紐当て部の先端側へ抜け出し移動することを規制する移動規制部が形成されている請求項３記載の洗浄具。
【請求項５】
前記洗浄突起が、前記紐当て部の洗浄面に掛止された紐様体の幅方向に沿う突条に構成されている請求項３又は４記載の洗浄具。
【請求項６】
前記洗浄突起が、前記紐当て部の洗浄面に掛止された紐様体の長手方向に沿って複数個形成されている請求項３〜５のいずれか１項に記載の洗浄具。
【請求項７】
前記主洗浄部が、前記洗浄支持部の先端側に形成された扁平な取付け部に対して外装可能な可撓性の洗浄体から構成されているとともに、前記洗浄支持部の前記取付け部の上面及び下面を除く側面には、当該取付け部に外装された洗浄体の抜け出し移動に抵抗を付与する係止突起が形成されている請求項１〜６のいずれか１項に記載の洗浄具。
【発明の詳細な説明】
【技術分野】
【０００１】
本発明は、靴類の洗浄に適した洗浄具に関する。
【背景技術】
【０００２】
この種の洗浄具としては、例えば、特許文献１に示すように、柄の一端部に靴類の内面用ブラシを設け、柄の他端部に靴類の外面用ブラシを設けたもの、或いは、特許文献２に示すように、電動モータ及び電源を内装する把持可能なケースに、電動モータに連動する回転軸を突設し、この回転軸の先端部にブラシを設けたものが提案されている。
【先行技術文献】
【特許文献】
【０００３】
【特許文献１】特開２００３−０３８２５１号公報
【特許文献２】特開２００５−２３０４９６号公報
【発明の概要】
【発明が解決しようとする課題】
【０００４】
運動靴等の靴類を洗う場合、一般に、靴から靴紐を取り外し、靴は上記洗浄具のブラシで洗剤を付けて洗う方法が採られている。
また、靴紐の場合は手で揉み洗いする方法が採られている。このとき、靴紐に紐通し金具による黒ずみが付いているときは、その黒ずみ部分を摘まんで揉み合わせて汚れを落とす。それでも汚れが取れない場合は、靴紐を平らな面に引き伸ばして洗濯ブラシや歯ブラシで擦り洗いする方法が一般に採られている。
【０００５】
そのため、靴紐の洗浄に多くの手間を要し、汚れ具合によっては複数の洗浄具を準備する必要があり、洗浄が煩雑化する不都合がある。
【０００６】
本発明は、上述の実状に鑑みて為されたものであって、その主たる課題は、靴及び靴紐の洗浄を能率良く容易に行うことのできる洗浄具を提供する点にある。
【課題を解決するための手段】
【０００７】
本発明による第１の特徴構成は、靴類を洗浄可能な主洗浄部を備えた洗浄支持部に、紐様体を摺動操作自在に掛止した状態で当該紐様体を洗浄する紐洗浄部を設けてある点にある。
【０００８】
上記構成によれば、例えば、運動靴等の靴類を洗う場合、靴自体は主洗浄部で洗剤等を付けて洗浄することができるとともに、靴から取り外した靴紐は、洗浄支持部に設けた紐洗浄部に掛止した状態で摺動操作することにより、靴紐の汚れの落ちにくい部分を擦り洗い又はしごき洗いで綺麗に洗い落すことができる。
【０００９】
したがって、主洗浄部及び紐洗浄部を備えた一つの洗浄具を用いて靴及び靴紐を能率良く容易に洗浄することができる。
【００１０】
本発明による第２の特徴構成は、前記主洗浄部は、固定部に押え付け操作可能な扁平状に構成されている点にある。
【００１１】
上記構成によれば、洗浄支持部の扁平状の主洗浄部を足裏や膝等で固定部に押え付け操作することにより、この洗浄支持部に設けた紐洗浄部の姿勢が安定するとともに、紐洗浄部に掛止された紐様体を両手で摺動操作することができるから、紐様体の洗浄の能率化、容易化を促進することができる。
【００１２】
本発明による第３の特徴構成は、前記紐洗浄部が、前記洗浄支持部との間に紐挿通空間を形成した状態で当該洗浄支持部に設けられた紐当て部から構成され、この紐当て部の前記紐挿通空間側の洗浄面には、紐様体をしごき洗浄するための洗浄突起が形成されている点にある。
【００１３】
上記構成によれば、紐当て部の紐挿通空間側の洗浄面に掛止された紐様体を摺動操作するとき、この洗浄面の洗浄突起と接触する紐様体の接触部位に大きなしごき力を付与することができ、例えば、洗浄面が扁平面に形成されている又は洗浄面に腰のあるブラシ毛郡が備えられている場合に比して、紐様体の洗浄効率の向上を図ることができる。
【００１４】
本発明による第４の特徴構成は、前記紐当て部が、前記洗浄支持部に貫通形成された吊下げ用の係止孔の開口周縁の一部から当該係止孔の中心側に向かって突出形成され、この紐当て部の洗浄面には、当該洗浄面に掛止されている紐様体が紐当て部の先端側へ抜け出し移動することを規制する移動規制部が形成されている点にある。
【００１５】
上記構成によれば、洗浄支持部に設けられた紐当て部の少なくとも先端縁と吊下げ用の係止孔の開口周縁との間に現出される空間を通して紐様体の脱着を容易に行うことができるものでありながら、洗浄面に設けた移動規制部により、洗浄面に掛止されて摺動操作される紐様体が紐当て部の先端側へ抜け出し移動することを効果的に抑制することができる。
【００１６】
本発明による第５の特徴構成は、前記洗浄突起が、前記紐当て部の洗浄面に掛止された紐様体の幅方向に沿う突条に構成されている点にある。
【００１７】
上記構成によれば、紐当て部の洗浄面に掛止された紐様体を摺動操作するとき、幅方向に沿う突条の洗浄突起との接触によって紐様体の幅方向でのしごき力の分布が均一になり、紐様体の洗浄能率向上を図ることができる。
【００１８】
本発明による第６の特徴構成は、前記洗浄突起が、前記紐当て部の洗浄面に掛止された紐様体の長手方向に沿って複数個形成されている点にある。
【００１９】
上記構成によれば、紐当て部の洗浄面に掛止された紐様体を摺動操作するとき、紐様体の長手方向に沿って形成された複数個の洗浄突起との接触によって紐様体にしごき力を効率良く付与することができ、紐様体の洗浄能率向上を図ることができる。
【００２０】
本発明による第７の特徴構成は、前記主洗浄部が、洗浄支持部の先端側に形成された扁平な取付け部に対して外装可能な可撓性の洗浄体から構成されているとともに、前記洗浄支持部の取付け部の上面及び下面を除く側面には、当該取付け部に外装された洗浄体の抜け出し移動に抵抗を付与する係止突起が形成されている点にある。
【００２１】
上記構成によれば、取付け部に外装された洗浄体の抜け出しを取付け部の係止突起との係止作用によって抑制しながらも、取付け部の上下面には係止突起が存在せず、しかも、洗浄体が可撓性を有するため、紐状体を洗浄する際、洗浄支持部の扁平状の主洗浄部を足裏や膝等で固定部に容易に押え付け操作することができる。
【図面の簡単な説明】
【００２２】
【図１】本発明の第１実施形態を示す洗浄具の一部切欠き平面図
【図２】洗浄具の一部切欠き側面図
【図３】洗浄具の分解底面図
【図４】洗浄支持部の斜視図
【図５】要部の拡大縦断面図
【図６】要部の拡大横断面図
【図７】本発明の第２実施形態を示す洗浄具の要部の拡大横断面図
【図８】本発明の第３実施形態を示す洗浄具の要部の拡大縦断面図
【図９】本発明の第４実施形態を示す洗浄具の要部の拡大横断面図
【発明を実施するための形態】
【００２３】
〔第１実施形態〕
図１〜図６は、運動靴等の靴類を洗浄する洗浄具を示し、把持操作可能な合成樹脂製の洗浄支持部Ｃの両端部に、靴類の内面及び外面を洗浄可能な主洗浄部Ａと靴類の靴底の底面を洗浄可能な副洗浄部Ｂとを装備するとともに、洗浄支持部Ｃの中間部における副洗浄部Ｂ側に偏位した部位には、靴紐等の紐様体１を摺動操作自在に掛止した状態で当該紐様体１を扱いて洗浄する紐洗浄部Ｄを設けてある。
【００２４】
洗浄支持部Ｃは、主洗浄部Ａを構成する袋状の可撓性のある洗浄体Ａ１が脱着自在に外装される扁平状の取付け部２と、この取付け部２の後端中央位置に連続する側面視略Ｓ字状に緩やかに湾曲する柄３とを合成樹脂で一体成形してある。
【００２５】
この洗浄支持部Ｃの柄３の上側後半側を、下側前半側の柄部３Ａよりも幅広で滑らかな平面視略長円形状のグリップ部３Ｂに構成し、このグリップ部３Ｂの上面の前方側部位には、当該グリップ部３Ｂを把持した手の第１指が当て付けられる指当て凹部３ａが形成されているとともに、グリップ部３Ｂの下面の前方側部位には、当該グリップ部３Ｂを把持した手の第２指が当て付けられる指当て凸部３ｂが形成されている。
【００２６】
洗浄支持部Ｃの柄３におけるグリップ部３Ｂの後端から指当て凸部３ｂまでの長さは、手の第３指から第５指を当て付け可能な長さに構成され、この第３指から第５指を当て付けた状態では、指当て凸部３ｂの前面側に第２指を当て付け、且つ、指当て凹部３ａに第１指を当て付けることになる。
【００２７】
また、グリップ部３Ｂの後方側部位には、平面視略半長円状の吊下げ用の係止孔４が貫通形成されているとともに、柄部３Ａには下方に開口する凹部３ｃが形成されている。
【００２８】
洗浄支持部Ｃの取付け部２は、平面視略半長円形状の環状取付け体２Ａと当該環状取付け体２Ａの内側空間を４つの空間に区画形成する平面視略十字状の補強連結体２Ｂとから構成されている。
【００２９】
この環状取付け体２Ａと補強連結体２Ｂとで構成される上面及び下面は、左右方向（幅方向）の外側縁及び前側縁（先端側）が少し薄肉になる滑らかな扁平状の曲面に形成されているとともに、環状取付け体２Ａの左右の側面には、取付け部２に前方側から装着された洗浄体Ａ１の内面に係止して当該洗浄体Ａ１に抜け出し移動に抵抗を付与する三角形状の係止突起２ａが複数個形成されている。
【００３０】
主洗浄部Ａは、発泡樹脂製の一例であるウレタンフォーム製のスポンジからなる洗浄本体５と、カットパイル群からなる洗浄用の柔軟な極細繊維製の第１立毛繊維部６ａ及び当該第１立毛繊維部６ａの極細繊維よりも腰のある繊維製の第２立毛繊維部６ｂとが地組織部の一側面に備えられている清掃用布帛６とを備えた洗浄体Ａ１から構成されている。
【００３１】
この洗浄体Ａ１の洗浄本体５と洗浄本体５とは、洗浄本体５の一側面に清掃用布帛６の第１立毛繊維部６ａ及び第２立毛繊維部６ｂが外方に位置する状態で貼着され、この貼着された二層基材をそれの清掃用布帛６が外面を構成する状態で一つの開口を備えた袋状にして縫製して構成されている。
【００３２】
清掃用布帛６の優れた吸水作用を発揮する第１立毛繊維部６ａと優れた掻き落し作用を発揮する第２立毛繊維部６ｂとが、洗浄体Ａ１の幅方向で交互に細幅の縞状に配置され、且つ、洗浄体Ａ１の前後方向視では第１立毛繊維部６ａの縞同士及び第２立毛繊維部６ｂの縞同士がそれぞれ重合する波状縞に構成され、洗浄体Ａ１が当て付けられた靴類の被洗浄面の全域に対して洗い落しの少ない状態で効率良く洗浄することができる。
【００３３】
洗浄具の主洗浄部Ａは、足裏や膝等で洗浄面や床面等の固定部に安定的に押え付け操作することが可能な扁平状に構成されているため、洗浄支持部Ｃに設けた紐洗浄部Ｄの姿勢が安定するとともに、紐洗浄部Ｄに掛止された紐様体１を両手で紐長手方向に摺動操作することが可能となり、紐様体１の洗浄の能率化、容易化を促進することができる。
【００３４】
副洗浄部Ｂは、洗浄支持部Ｃの後端に形成された傾斜面３ｄに、靴底の底面に形成されている突起群や溝等に入り込んで洗浄することの可能な長さと腰のあるブラシ毛７を植設して構成されている。
【００３５】
紐洗浄部Ｄは、側面視において洗浄支持部Ｃの係止孔４の上側開口周縁３ｅとの間に紐挿通空間Ｓを形成した状態で洗浄支持部Ｃの係止孔４の上側開口周縁３ｅの前端部位から当該係止孔４の中心側に向かって後方側に一体的に突出形成された板状の紐当て部８から構成されている。
【００３６】
この紐当て部８の下面側である洗浄面８ａは、係止孔４の幅寸法よりも少し小なる幅寸法で、且つ、洗浄対象の紐様体１の幅よりも少し長い前後長に構成されているとともに、紐当て部８の基部を、洗浄支持部Ｃの係止孔４の上側開口周縁３ｅから上方側に離間する状態で略への字状に屈曲形成して、紐当て部８の洗浄面８ａと洗浄支持部Ｃの係止孔４の上側開口周縁３ｅとの対向間に、側面視において紐様体１の紐長手方向での通過移動を許容する紐挿通空間Ｓが形成されている。
【００３７】
紐当て部８の洗浄面８ａには、紐様体１の幅方向に沿う１本又は複数本（当該実施形態では３本）のしごき洗浄用の突条の洗浄突起８Ａが一体形成されているとともに、紐当て部８の洗浄面８ａ側の先端部には、当該紐当て部８の洗浄面８ａに掛止された状態で紐長手方向に摺動操作される紐様体１が先端側へ抜け出し移動しようとしたとき、当該紐様体１の側縁に当接して抜け出し移動に抵抗を付与する移動規制部８Ｂが一体的に突出形成されている。
【００３８】
この移動規制部８Ｂの最大下端部位と洗浄支持部Ｃの係止孔４の上側開口周縁３ｅとの側面視における対向間隔が、紐様体１の厚みよりも小に構成されている。
【００３９】
洗浄支持部Ｃの柄３におけるグリップ部３Ｂの後端から指当て凸部３ｂまでの長さは、手の第３指から第５指を当て付け可能な長さに構成され、この第３指から第５指を当て付けた状態では、指当て凸部３ｂの前面側に第２指を当て付け、且つ、紐当て部８の上面に窪み形成された指当て凹部８ｂに第１指を当て付けることになる。
【００４０】
そして、靴類から取り外した紐様体１を洗浄する場合、紐様体１の一端を固定部に取付け、紐様体１の他端を一方の手で把持し、この紐様体１の中間部を、他方の手で把持している洗浄具の紐当て部８の先端と洗浄支持部Ｃの係止孔４の上側開口周縁３ｅとの間を通して紐挿通空間Ｓに挿通する。
【００４１】
このとき、洗浄支持部Ｃの柄３における下側前半側の柄部３Ａの前端から指当て凸部３ｂまでの第２グリップ部に他方の手の第３指から第５指を当て付け、指当て凸部３ｂの後面側に第２指を当て付け、且つ、指当て凹部３ａに第１指を当て付けることにより、洗浄具を強力に把持することができるとともに、紐様体１の扱き洗浄時における紐当て部８の上方側への反り変形を防止することができる。
【００４２】
また、洗浄具の主洗浄部Ａを足裏や膝等で洗浄面や床面等の固定部に安定的に押え付け操作することができる場合には、洗浄支持部Ｃに設けた紐洗浄部Ｄの姿勢が安定するとともに、紐洗浄部Ｄに掛止された紐様体１を両手で紐長手方向に摺動操作することが可能となり、紐様体１の洗浄の能率化、容易化を促進することができる。
【００４３】
〔第２実施形態〕
図７は、靴紐等の紐様体１を摺動操作自在に掛止した状態で当該紐様体１を扱いて洗浄する紐洗浄部Ｄの別実施例を示し、紐当て部８の洗浄面８ａには、紐様体１の幅方向に沿う３本以上のしごき洗浄用の突条の洗浄突起８Ａが一体形成されているとともに、洗浄面８ａの幅方向（紐長手方向）の中間に位置する洗浄突起８Ａの突出高さを、洗浄面８ａの幅方向両端側に位置する洗浄突起８Ａの突出高さよりも大に構成してある。
尚、その他の構成は、第１実施形態で説明した構成と同一であるから、同一の構成箇所には、第１実施形態と同一の番号を付記してそれの説明は省略する。
【００４４】
〔第３実施形態〕
図８は、靴紐等の紐様体１を摺動操作自在に掛止した状態で当該紐様体１を扱いて洗浄する紐洗浄部Ｄの別実施例を示し、この紐洗浄部Ｄを構成する板状の紐当て部８の前後両端部を脚部８ｃを介して紐洗浄部Ｄの係止孔４の上側開口周縁３ｅに一体形成し、この紐当て部８の下面である洗浄面と洗浄支持部Ｃの係止孔４の上側開口周縁３ｅとの間で、且つ、前方側の脚部８ｃと後方側の脚部８ｃとの間に側面視において紐挿通空間Ｓを形成してある。
尚、その他の構成は、第１実施形態で説明した構成と同一であるから、同一の構成箇所には、第１実施形態と同一の番号を付記してそれの説明は省略する。
【００４５】
〔第４実施形態〕
図９は、靴紐等の紐様体１を摺動操作自在に掛止した状態で当該紐様体１を扱いて洗浄する紐洗浄部Ｄの別実施例を示し、樹脂製の洗浄支持部Ｃの係止孔４の内周面の一部に、紐当て部８を構成する三本の金属製の棒状又は板状の紐当て突起８Ｄを紐長手方向に所定間隔をおいて平行に固着して、紐当て部８の隣接間である前記所定間隔、及び、係止孔４の上側開口周縁３ｅとこれに相対向する紐当て部８との間の間隔を、紐様体１を波形状に挿通するための紐挿通空間Ｓに構成してある。
【００４６】
三本の板状の紐当て部８に係止保持された紐様体１は紐長手方向に沿って摺動操作は可能であるものの、各紐当て部８との摺動抵抗が大きくなるため、紐様体１を右と左に交互に引っ張り操作するだけで、紐様体１に扱き作用を効果的に付与することができる。
尚、その他の構成は、第１実施形態で説明した構成と同一であるから、同一の構成箇所には、第１実施形態と同一の番号を付記してそれの説明は省略する。
【００４７】
〔その他の実施形態〕
（１）上述の実施形態では、洗浄支持部Ｃの両端部に、靴類の内面及び外面を洗浄可能な主洗浄部Ａと靴類の靴底の底面を洗浄可能な副洗浄部Ｂとを装備したが、洗浄支持部Ｃの一端部に主洗浄部Ａのみを装備して実施してもよい。
【００４８】
（２）上述の実施形態では、靴類を洗浄可能な主洗浄部Ａを、スポンジやブラシ等から構成してもよい。
【００４９】
（３）上述の実施形態では、紐当て部８の洗浄面８ａに、紐様体１の幅方向に沿うしごき洗浄用の突条の洗浄突起８Ａを形成したが、この洗浄突起８Ａを洗浄面８ａに形成される半球状、直方体等の多数の小突起群から構成してもよい。
紐当て部８の洗浄面８ａに、洗浄突起８Ａに替えて腰のあるブラシを植設してもよい。
【符号の説明】
【００５０】
Ａ        主洗浄部
Ａ１      洗浄体
Ｃ        洗浄支持部
Ｄ        紐洗浄部
Ｓ        紐挿通空間
１        紐様体
２        取付け部
２ａ      係止突起
４        係止孔
８        紐当て部
８Ａ      洗浄突起
８Ｂ      移動規制部
８ａ      洗浄面
【図１】
2014217426.tif 000003
【図２】
2014217426.tif 000004
【図３】
2014217426.tif 000005
【図４】
2014217426.tif 000006
【図５】
2014217426.tif 000007
【図６】
2014217426.tif 000008
【図７】
2014217426.tif 000009
【図８】
2014217426.tif 000010
【図９】
2014217426.tif 000011